(57)【要約】【課題】設置高さが２メーター以上もの目隠しパネルは、目隠し性の必要から、パネル面が閉ざされた面であることが多く、したがって強風時に大きな荷重をうけることになり、支柱や、基礎を高強度にしておく必要があった。目隠し用の部材も断面性能のある形の物や肉厚のある部材となり、高価なものになっていた。【解決手段】本目隠しパネルの発明は、断面が略ハット形をしたレール状部材を隣接する部材が相互に逆向きになるよう順に取着することで、表裏のパネル強度が均一になるし、更に補強部材を押通することで、強風でも耐える目隠し性の高いフェンスを構成したところにある。【選択図】図３
2014074308.tif 000002
【特許請求の範囲】
【請求項１】
目隠しパネルにおいて、断面が略ハット形をしたレール状部材を隣接する部材が相互に逆向きになるよう順に取着すると共に、略ハット形の頭部の両側辺を押通した補強部材と組合せしたことを特徴とする目隠しパネル。
【請求項２】
請求項１において、略ハット形をしたレール状形材のおもて、うらの面の色を変えたことを特徴とする目隠しパネル。
【発明の詳細な説明】
【技術分野】
【０００１】
本発明は、目隠し性を備えたパネルに於いて、パネル面全体を断面がハット形をしたレール状形材で構成し、そのハット形のレール状形材を順に交互にうらおもてに構成することで、目隠し性が高く、表裏感が少ないばかりか、高強度でデザイン性が高く、通気性が良好な目隠しパネルを使用した柵に関する。
【背景技術】
【０００２】
従来、柵に使用されている目隠しパネルは、帯状のアルミニウム製の押出形材のルーバーを複数枚、枠材に単純に固定する形で構成されていた。
【０００３】
そして、隣地との境界などに取り付けられるのであるが、その目的が防犯の為であったり、目隠しの為であったりするが、更には通風性がある形で取り付けされている。
【０００４】
しかしながら、支柱とパネルの構成で目隠し性と通気性並びに、強度を考慮する必要があるが、使用しているアルミニウム製の押出形材のルーバー同士が連結されていないことが多く、個々に帯状のルーバー単独で機械的強度を確保する必要があり、従って強風時でも耐えるようにするには、当然肉厚の厚い物であるとか、断面性能の大きいものを使わざるを得なかったのである。特に突風などの強風時に目隠しパネルとして十分な強度を持たせるためには、高強度なものにする必要があり、高価なものになっていた。
【０００５】
〔特許文献1〕には、課題として、複数枚の目隠しパネルを支柱間に縦横に張設することによって建物の外壁を全面的に覆い隠すことができる高さの高い且つ優れた外観を呈するフェンスを構成するとあり。その解決手段として、目隠しパネルＡは、平面横長長方形状の鋼板材からなる上下横桟部材１、２間に複数本の縦桟部材と上下方向に並列した羽根板とを一体に設け、且つ、最上部に設けている羽根板の上端部を上側横桟部材の前面側から上方に突出させてなる形状に形成されてあり、この目隠しパネルＡを隣接する支柱の前面間に縦列状態に積み重ねると共に、上下目隠しパネルＡ、Ａの対向する横桟部材間の隙間を下側の目隠しパネルＡの最上部の羽根板における上記上端部によって覆い隠したフェンス構造としているとある。
【０００６】
しかし、このように構成された目隠しフェンスは、目隠し性と通風性があるとしているが、この形状では目隠しの向きが出きるし、目隠し性も良くない。通気性の向きも一定であり、噴き下げや噴き上げがきつかったりする。目隠し性を改良すると共に、突風などの突然の強風時に強度的に充分な物にするためには、ルーバーの断面性能を大幅に上げる必要があるが、この形状では鋼板の持っている強度を充分に出していない。
【先行技術文献】
【特許文献】
【０００７】
【特許文献１】特開２００３−３１３９３９
【発明の概要】
【発明が解決しようとする課題】
【０００８】
本発明は、以上のような従来の欠点に鑑み、戸建て住宅、アパート、マンション等の隣地との境界などに使用される目隠し塀は、目隠し性を目的とした物であり、併せて通気性についても配慮したいのであるが、目隠し性が高くても風が通らなかったりする。そこで目隠し性が高く通気性も充分あり、突風にも対応できる目隠し柵を提供せんとするものである。
【０００９】
更には、薄板のカラ―鋼板のロールホーミング加工や、アルミニウムやプラスチックスの押出形材の持っている成形性に着眼しつつ、パネルとしての機械的強度は勿論、目隠し性の機能を付与すると共に、使用部材の選定によっては、プラスチックの持つ透光性をも取り入れて、理想的な目隠し柵を提供することを目的としている。
【課題を解決するための手段】
【００１０】
請求項１では、目隠しパネルにおいて、断面が略ハット形をしたレール状部材を隣接する部材が相互に逆向きになるよう順に取着すると共に、略ハット形の頭部の両側辺を押通した補強部材と組合せしたことを特徴とする目隠しパネルとした。
【００１１】
これは、断面が略ハット形をしたレール状部材を隣接する部材が相互に逆向きになるよう順に取着することで、通気性の方向性が無くなるし、表裏の目隠しパネルの強度もほぼ均一になるばかりか、目隠し性の指向性もなくなるなど、大幅に各種性能が上がるのである。
【００１２】
レール状部材をハット形にすることで、レール状部材としての強度を大幅に上げることが出来るばかりか、更に、略ハット形の頭部の両側辺を押通し、一本又は複数本の補強部材を構成することで、略ハット形のレール状部材を補強することが出来るので大幅にパネルの強度を上げられるのである。ちなみに中央に補強部材を構成すると、レール状部材の強度は４分の一の強度で済むし、更に３本入れると１６分の一で良いことになる。
【００１３】
請求項２では、請求項１において、略ハット形をしたレール状形材のおもて、うらの面の色を変えたことを特徴とする目隠しパネルとした。
【００１４】
これは、表裏を違う色で構成させて目隠しパネルを組み立てた時、表裏にカラーの縞のデザイン目隠しパネルが簡単に構成できるのである。
【００１５】
又、鋼板をロールホーミング加工したハット形レール状部材を使って目隠しパネルを構成する時、ロールホーミング加工のロールに通す時に裏表をひっくり返してロールホーミング加工したものと、そうでないものとを交互に組付けて目隠しパネルを構成させることで、表裏の色が違う目隠しパネルが製作出来る。
【００１６】
この事は、目隠しパネルの設置場所の片側が商店で裏側が住宅とした時、商店側を白色にするとともに、裏側の住宅側は茶色などの色を付けた目隠しパネルが簡単に構成できるのである。
【発明の効果】
【００１７】
以上の説明から明らかなように、本発明にあっては次に列挙する効果が得られる。
（１）ハット形の形状で、カラー鋼板の肉厚の薄いものやアルミニュウムやプラスチックスなどの材質的に低強度のものでも、極めて断面性能の高いレール状部材に出来る。
【００１８】
（２）ハット形のレール状部材を相互に逆向きになるよう順に取着しているので、表裏感も少なく、強度的にも表裏がバランスのとれた目隠しパネルとなる。
【００１９】
（３）風を逃がすことが出来ることは勿論のこと、目隠しパネルに構成されたレール状部材に補強部材を押通させて構成し、目隠しパネルを組みつけると、ハット形レール状部材があまり強度のないものでも使用できることになるし、薄手のアルミニュウムの押出部材や、カラ―アルミのロールホーミング加工したものでも、プラスチックスの薄手の物でも使用できるのでコストパホーマンスの高い製品になる。
【００２０】
（４）  横デザインの目隠しパネルに構成されたレール状部材に補強部材を押通させて構成した補強部材を目隠しパネルの下に伸ばすことで、その部分を基礎部と一体に出来る。こうすることで補強部材が支柱にもなるのである。特に強い風荷重を意識しなければならない現場では。簡単に柵としての強度を上げることが出来るのである。
【００２１】
請求項２では、更に次のような効果がある。
（５）レール状部材の表裏の色を変えることで、目隠しパネルのカラ―コーディネートが容易となる。（００１５）で述べたようなことが簡単に構成出来るのである。
【図面の簡単な説明】
【００２２】
【図１】本発明目隠し柵の設置状態の一般図である。
【図２】目隠しパネルの正面図である。
【図３】目隠しパネルの図２の縦断面図である。
【図４】ハット形レール状部材の斜視図である。
【図５】ハット形レール状部材に補強部材を押通した時の斜視図である。
【図６】図３の部分拡大図である。
【図７】取付け用フックの斜視図である。
【図８】縦縞目隠しパネルの正面図である。
【図９】補強部材の部分斜視図である。
【発明を実施するための形態】
【００２３】
以下本発明の実施の形態を図に基づいて説明する。
【実施例１】
【００２４】
図１は、目隠し柵１の設置状態の一般図で、地上３メーターの目隠し柵を設置しようとするとき、支柱３を２メーターピッチで建て、その支柱間に概略寸法で、縦１メーター横２メーターの目隠しパネル２を３枚、段積して構成させる。この時の支柱の断面はＨ形鋼や、矩形のパイプなど色々な形状のもので構成される。又、支柱３は基礎４に固定される。
【００２５】
図２は、縦１メーター横２メーターの目隠しパネル２の正面図である。主要部材としてハット形レール状部材５、図４を目隠しパネルの主要部材として組みこむのであるが、その枚数は略５枚から１０枚程度のハット形レール状部材５で構成する。
【００２６】
図３は、目隠しパネル２の目隠し用の主要部材として使用されるハット形レール状部材５が目隠しパネル２に組み込まれた時の縦断面図である。このハット形レール状部材５はカラ―アルミニュウムやカラ―鉄板をロールホーミング加工されたものが適当であるが、アルミニュウムやプラスチックス製の押出形材製のものであっても差し支えはない。
【００２７】
上部横枠１３や下部横枠１４は耐久性を考えるとアルマイト加工されたアルミニュウム押出材がいいが、ステンレスや、耐久性の高い鋼材であっても何ら差し支えない。両側の縦枠も同様である。
【００２８】
ハット形レール状部材５の幅であるハット形の頭部とハット形の廻り縁である底との寸法は略２０ミリメートルから１５０ミリメートル程度の範囲で構成されるが、２０ミリメートル以下ではパネルとしての断面性能が出しにくいし、１５０ミリメートル以上では、設置場所を取りすぎるので良くないが、特別にボリュームを上げたい時や、それ以外の時などこの限りでない。
【００２９】
そしてハット形の断面の片方の廻り縁部からもう一方の廻り縁部との幅は、略５０ミリメートルから２００ミリメートルで構成されるが、これ以上であっても以下であっても良い。５０ミリメートル以下では細かすぎるし、２００ミリメートル以上では工場で目隠しパネル２を組立するのではなく、ロールホーミング加工されたレール状部材を現場で組みつけるなどの方法が取られる。
【００３０】
図４は、ハット形レール状部材５の斜視図である。略１メータ−から２メーターのハット形レール状部材５のハット形の頭部の両側辺７の略平面部を、一辺が略１０ミリから８０ミリメートル程度の寸法で矩形に切り欠いている。ハット形の廻り縁６の幅はハット形頭部１０の幅に近い寸法がバランス的に良いが、これにこだわるものではない。ハット形頭部１０の幅が５０ミリメートルとした時、５０ミリメートルでも２５ミリメートルであっても１００ミリメートルでも良い。
【００３１】
図５は、図４のハット形レール状部材５に補強部材９を押通させた斜視図である。この補強部材９は矩形が好ましいが、コノ字形やＬ字形や、そのほかの形であっても差し支えはない。ハット形レール状部材５のハット形の頭部１０の両側辺７に開けた穴８に補強部材９を断面でハット形の頭部の両側辺７を突き刺す形で押通させる。補強部材９を矩形で一辺が略１０ミリメートルから８０ミリメートル程度としたのは、１０ミリメートル以下だと補強部材９としての強度に問題があるし、８０ミリメートルより大きいと補強部材９が勝ちすぎる。
【００３２】
図６は、図３の部分拡大図である。ハット形の頭部１０とハット形の廻り縁６との間の両側辺７を押通させる形で補強部材９を構成させる。又、断面が略ハット形をしたレール状部材５を隣接する部材が相互に逆向きになるよう順に取着させ、ハット型の廻り縁部６の端部に設けた、略Ｖ形の返り１５を使って略Ｚ字形の金具１１で隣のハット型の略Ｖ形の返り１５にツメ１６で固着させる
【００３３】
図７は、ハット形のレール状部材が相互に逆向きになるよう順に取着されている、その隣接のパネル同士の略Ｖ字形の返り１５の部分を、お互いに引っかける為のＺ字形金具１１の斜視図である。Ｚ字形金具１１の両端部にはヒッカケの為のツメ１６が構成されている。
【００３４】
図８は、図２の目隠しパネル２が横の縞デザインであるのに対して、縦縞のデザインとした縦縞目隠しパネル１２の正面図である。この場合も、縦枠の略中央に補強部材９を押通しておくと高強度の目隠しパネルとなる。
【００３５】
図９は、補強部材９の部分斜視図である。アルミニュウムの押出形材などで構成すると、断面にタッピングホール１７などが押出と同時に構成できるので、横縞のデザインの場合は横枠１３と、縦縞のデザインの場合は縦枠にビスなどで簡単に固着出来るので好都合である。
【００３６】
またこの補強部材９は横縞の目隠しパネル２にあっては、その目隠しパネル２の下部の横枠１４を突き破って、更に下げて基礎部４に固着させ支柱にすることも出来、極めて高強度の目隠し柵１とすることが可能である。
【００３７】
このような構成にすることで、台風や突然の強風時にも風が抜けるし、ハット形のレール状部材５が比較的に断面性能の弱い薄手の部材でも、補強部材９が目隠しパネル２全体の断面性能を大幅に向上させることが出来、極めて経済的な目隠し柵１になるのである。
【符号の説明】
【００３８】
１  目隠し柵
２  目隠しパネル
３  支柱
４  基礎
５  ハット形レール状部材
６  ハット形の廻り縁
７  ハット形の頭部の両側辺
８  穴
９  補強部材
１０  ハット形の頭部
１１  略Ｚ字形金具
１２  縦縞目隠しパネル
１３  上部横枠
１４  下部横枠
１５  略Ｖ字形の返り
１６  ツメ
１７  タッピングホール
【図１】
2014074308.tif 000003
【図２】
2014074308.tif 000004
【図３】
2014074308.tif 000005
【図４】
2014074308.tif 000006
【図５】
2014074308.tif 000007
【図６】
2014074308.tif 000008
【図７】
2014074308.tif 000009
【図８】
2014074308.tif 000010
【図９】
2014074308.tif 000011